(57)【特許請求の範囲】
【請求項１】
単位貸出金額に対して設定された単位貸出数の遊技球を払出可能な球払出機構と、球払出機構を制御する制御装置と、を前面枠に備えた遊技機において、
前記球払出機構は、払い出し動作を行う払出ユニットと、該払出ユニットから流下する遊技球を案内するメイン案内ユニットと、該メイン案内ユニットが装着される案内ユニット装着部と、を備え、払出ユニットには遊技球を排出する第１排出口および第２排出口を備え、
前記制御装置は、単位貸出金額を間接税の課税対象とした場合に徴収される税額と同じ金額で貸出可能な数の遊技球を副払出球とし、単位貸出数から副払出球を差し引いた数の遊技球を主払出球とし、球払出機構を制御して主払出球を第１排出口から排出するとともに、副払出球を第２排出口から排出し、
前記メイン案内ユニットには、第１排出口および第２排出口へ連通する案内流下路を備え、該案内流下路により主払出球および副払出球を貸球として案内可能とし、
前記案内ユニット装着部には、メイン案内ユニットを装着可能とするメイン装着部と、払出ユニットから流下する遊技球を案内するサブ案内ユニットをメイン案内ユニットと交換して装着可能とするサブ装着部と、を備え、
前記サブ案内ユニットは、第１排出口へ連通可能な第１案内路と、第２排出口へ連通可能な第２案内路と、を備え、
前記案内ユニット装着部にサブ案内ユニットを装着した状態では、第１排出口から第１案内路へ流下した主払出球を貸球として案内し、第２排出口から第２案内路へ流下した副払出球を課税徴収球として当該遊技機の外部へ案内するように構成され、
前記メイン装着部にメイン案内ユニットを取り外し不能な固着部材で固着し、メイン装着部を案内ユニット装着部から切断してメイン案内ユニットとサブ案内ユニットとの交換を許容するように構成されたことを特徴とする遊技機。
【請求項２】
前記固着部材は、締め方向への回転を許容され、且つ緩み方向への回転を規制されたワンウェイねじであることを特徴とする請求項１に記載の遊技機。
【請求項３】
前記メイン案内ユニットには突出片を案内ユニット装着部側へ向けて突設し、案内ユニット装着部には、制御装置に検出信号を送信可能な検出装置を備え、前面枠の前面側には、制御装置により制御される報知装置を設け、
前記検出装置は、案内ユニット装着部にメイン案内ユニットを装着したメイン案内状態では、突出片を検出可能とし、案内ユニット装着部にサブ案内ユニットを装着したサブ案内状態では、第２案内路へ臨んで課税徴収球を検出可能とし、
前記制御装置は、
前記検出装置による突出片の検出に基づいてメイン案内状態であると判断し、報知装置に報知動作を行わせてメイン案内状態であることを報知し、
前記検出装置による突出片の不検出に基づいてサブ案内状態であると判断し、報知装置に報知動作を行わせてサブ案内状態であることを報知するとともに、検出装置による課税徴収球の検出に基づいて、報知装置に報知動作を行わせて課税徴収球が当該遊技機の外部へ案内されることを報知するように構成されたことを特徴とする請求項２に記載の遊技機。
【請求項４】
前記検出装置は、発光部と受光部とを離間した状態で備え、発光部と受光部との間に突出片または遊技球を通して遮光することにより、突出片または遊技球を検出可能としたことを特徴とする請求項３に記載の遊技機。
【請求項５】
前記サブ案内ユニットは、第２案内路を前面枠の後方へ向けて下り傾斜させ、第２案内路の傾斜下端を前面枠の後方または下方に露出する状態で開放したことを特徴とする請求項４に記載の遊技機。
【請求項６】
前記前面枠の前面側には、貸球としての遊技球を貯留可能な球貯留部を備え、該球貯留部には、球払出機構から流下してきた遊技球が導出される導出口を開設し、該導出口の近傍に報知装置を配置したことを特徴とする請求項５に記載の遊技機。
【発明の詳細な説明】
【技術分野】
【０００１】
本発明は、単位貸出金額に対して設定された単位貸出数の遊技球を払出可能な球払出機構と、球貸出操作に基づいて球払出機構を制御する制御装置とを前面枠に備えたパチンコ遊技機等の遊技機に関する。
【背景技術】
【０００２】
従来の遊技機、例えば、パチンコ遊技機においては、遊技球（遊技媒体）を貸し出す貸出装置（球貸機）を付設しており、遊技者が貸出装置からの遊技球の貸出を受けて遊技を行うように構成されている。また、貸出装置とパチンコ遊技機の制御装置とを接続して遊技球の貸し出しに関する信号を送受信可能としている。そして、遊技者が貸出料金を支払う等して貸出装置に対して貸出操作を行うと、貸出装置が信号をパチンコ遊技機の制御装置へ送信し、この信号を受信したパチンコ遊技機の制御装置が球払出機構を駆動して予め定められた数の遊技球を遊技者側（具体的には、パチンコ遊技機の前面側に設けた球貯留部）へ払い出す（例えば、特許文献１参照）。
【特許文献１】特開２００１−３１４６１３号公報
【発明の開示】
【発明が解決しようとする課題】
【０００３】
ところで、昨今では遊技球の貸出料金に対する間接税（例えば、消費税）を遊技者に負担してもらおうとする動きが出てきている。しかしながら、従来のパチンコ遊技機では、遊技球の貸出料金に対する間接税（消費税等）を遊技者から徴収するための手段を備えておらず、遊技店において貸出料金に対する間接税を遊技者負担とすることになった場合に、対処することができないという問題があった。
【０００４】
そこで、貸出料金を値上げせず、その代わりに課税分だけ貸球としての遊技球の数を差し引くことが考えられる。そして、この差し引き動作を実現するために、間接税徴収用の交換部品を別途準備しておき、遊技店へのパチンコ遊技機の設置後に間接税を遊技者に負担してもらうことにした場合に、既存の非徴収用部品を間接税徴収用の交換部品に交換することが考えられる。ところが、間接税を遊技者の負担とする前に、遊技店側が間接税徴収用部品を非徴収用部品と交換してしまうと、遊技者に貸与される遊技球の数が減ってしまい、遊技店側が不正に利益を得てしまうという問題が発生する。しかも、遊技店側が一度取り付けた間接税徴収用部品を取り外して、再び非徴収用部品を装着して元に戻せば、不正を行っていることが遊技者に気付かれ難くなってしまい、好ましくない。
【０００５】
本発明は、上記の事情に鑑みてなされたものであり、その目的は、遊技球の貸出料金に対する間接税を徴収しない状態から、間接税を徴収する状態へ簡単に移行することができ、また、遊技店側の不正操作を防ぐことができる遊技機を提供しようとするものである。
【課題を解決するための手段】
【０００６】
本発明は、上記目的を達成するために提案されたものであり、請求項１に記載のものは、単位貸出金額に対して設定された単位貸出数の遊技球を払出可能な球払出機構と、球払出機構を制御する制御装置と、を前面枠に備えた遊技機において、
前記球払出機構は、払い出し動作を行う払出ユニットと、該払出ユニットから流下する遊技球を案内するメイン案内ユニットと、該メイン案内ユニットが装着される案内ユニット装着部と、を備え、払出ユニットには遊技球を排出する第１排出口および第２排出口を備え、
前記制御装置は、単位貸出金額を間接税の課税対象とした場合に徴収される税額と同じ金額で貸出可能な数の遊技球を副払出球とし、単位貸出数から副払出球を差し引いた数の遊技球を主払出球とし、球払出機構を制御して主払出球を第１排出口から排出するとともに、副払出球を第２排出口から排出し、
前記メイン案内ユニットには、第１排出口および第２排出口へ連通する案内流下路を備え、該案内流下路により主払出球および副払出球を貸球として案内可能とし、
前記案内ユニット装着部には、メイン案内ユニットを装着可能とするメイン装着部と、払出ユニットから流下する遊技球を案内するサブ案内ユニットをメイン案内ユニットと交換して装着可能とするサブ装着部と、を備え、
前記サブ案内ユニットは、第１排出口へ連通可能な第１案内路と、第２排出口へ連通可能な第２案内路と、を備え、
前記案内ユニット装着部にサブ案内ユニットを装着した状態では、第１排出口から第１案内路へ流下した主払出球を貸球として案内し、第２排出口から第２案内路へ流下した副払出球を課税徴収球として当該遊技機の外部へ案内するように構成され、
前記メイン装着部にメイン案内ユニットを取り外し不能な固着部材で固着し、メイン装着部を案内ユニット装着部から切断してメイン案内ユニットとサブ案内ユニットとの交換を許容するように構成されたことを特徴とする遊技機である。
【０００７】
請求項２に記載のものは、前記固着部材は、締め方向への回転を許容され、且つ緩み方向への回転を規制されたワンウェイねじであることを特徴とする請求項１に記載の遊技機である。
【０００８】
請求項３に記載のものは、前記メイン案内ユニットには突出片を案内ユニット装着部側へ向けて突設し、案内ユニット装着部には、制御装置に検出信号を送信可能な検出装置を備え、前面枠の前面側には、制御装置により制御される報知装置を設け、
前記検出装置は、案内ユニット装着部にメイン案内ユニットを装着したメイン案内状態では、突出片を検出可能とし、案内ユニット装着部にサブ案内ユニットを装着したサブ案内状態では、第２案内路へ臨んで課税徴収球を検出可能とし、
前記制御装置は、
前記検出装置による突出片の検出に基づいてメイン案内状態であると判断し、報知装置に報知動作を行わせてメイン案内状態であることを報知し、
前記検出装置による突出片の不検出に基づいてサブ案内状態であると判断し、報知装置に報知動作を行わせてサブ案内状態であることを報知するとともに、検出装置による課税徴収球の検出に基づいて、報知装置に報知動作を行わせて課税徴収球が当該遊技機の外部へ案内されることを報知するように構成されたことを特徴とする請求項２に記載の遊技機である。
【０００９】
請求項４に記載のものは、前記検出装置は、発光部と受光部とを離間した状態で備え、発光部と受光部との間に突出片または遊技球を通して遮光することにより、突出片または遊技球を検出可能としたことを特徴とする請求項３に記載の遊技機である。
【００１０】
請求項５に記載のものは、前記サブ案内ユニットは、第２案内路を前面枠の後方へ向けて下り傾斜させ、第２案内路の傾斜下端を前面枠の後方または下方に露出する状態で開放したことを特徴とする請求項４に記載の遊技機である。
【００１１】
請求項６に記載のものは、前記前面枠の前面側には、貸球としての遊技球を貯留可能な球貯留部を備え、該球貯留部には、球払出機構から流下してきた遊技球が導出される導出口を開設し、該導出口の近傍に報知装置を配置したことを特徴とする請求項５に記載の遊技機である。
【発明の効果】
【００１２】
本発明によれば、以下のような優れた効果を奏する。
請求項１に記載の発明によれば、球払出機構は、払い出し動作を行う払出ユニットと、該払出ユニットから流下する遊技球を案内するメイン案内ユニットと、該メイン案内ユニットが装着される案内ユニット装着部とを備え、払出ユニットには遊技球を排出する第１排出口および第２排出口を備え、制御装置は、単位貸出金額を間接税の課税対象とした場合に徴収される税額と同じ金額で貸出可能な数の遊技球を副払出球とし、単位貸出数から副払出球を差し引いた数の遊技球を主払出球とし、球払出機構を制御して主払出球を第１排出口から排出するとともに、副払出球を第２排出口から排出し、メイン案内ユニットには、第１排出口および第２排出口へ連通する案内流下路を備え、該案内流下路により主払出球および副払出球を貸球として案内可能とし、案内ユニット装着部には、メイン案内ユニットを装着可能とするメイン装着部と、払出ユニットから流下する遊技球を案内するサブ案内ユニットをメイン案内ユニットと交換して装着可能とするサブ装着部とを備え、サブ案内ユニットは、第１排出口へ連通可能な第１案内路と、第２排出口へ連通可能な第２案内路とを備え、案内ユニット装着部にサブ案内ユニットを装着した状態では、第１排出口から第１案内路へ流下した主払出球を貸球として案内し、第２排出口から第２案内路へ流下した副払出球を課税徴収球として当該遊技機の外部へ案内するように構成したので、メイン案内ユニットをサブ案内ユニットに交換するだけで、遊技機の設定を遊技球の貸出料金に対する間接税を徴収しない状態から、間接税を徴収する状態へ簡単に移行することができる。
【００１３】
また、メイン装着部にメイン案内ユニットを取り外し不能な固着部材で固着し、メイン装着部を案内ユニット装着部から切断してメイン案内ユニットとサブ案内ユニットとの交換を許容するように構成したので、メイン案内ユニットを一度取り外すと再度装着することができなくなり、遊技店側の不正操作、具体的には、遊技店側が間接税を遊技者に負担してもらうとはしていないにも拘らず、不当にサブ案内ユニットを装着して遊技者への貸球の数を減らし、再びメイン案内ユニットを装着して貸球の数を元に戻そうとする不正操作を防ぐことができる。
【００１４】
請求項２に記載の発明によれば、固着部材は、締め方向への回転を許容され、且つ緩み方向への回転を規制されたワンウェイねじであるので、簡単な構成で取り外し不能な固着部材を実現することができる。
【００１５】
請求項３に記載の発明によれば、メイン案内ユニットには突出片を案内ユニット装着部側へ向けて突設し、案内ユニット装着部には、制御装置に検出信号を送信可能な検出装置を備え、前面枠の前面側には、制御装置により制御される報知装置を設け、検出装置は、案内ユニット装着部にメイン案内ユニットを装着したメイン案内状態では、突出片を検出可能とし、案内ユニット装着部にサブ案内ユニットを装着したサブ案内状態では、第２案内路へ臨んで課税徴収球を検出可能とし、制御装置は、検出装置による突出片の検出に基づいてメイン案内状態であると判断し、報知装置に報知動作を行わせてメイン案内状態であることを報知し、検出装置による突出片の不検出に基づいてサブ案内状態であると判断し、報知装置に報知動作を行わせてサブ案内状態であることを報知するとともに、検出装置による課税徴収球の検出に基づいて、報知装置に報知動作を行わせて課税徴収球が当該遊技機の外部へ案内されることを報知するように構成したので、単一の検出装置によりメイン案内ユニットの有無や徴収課税球の流下を検出することができる。したがって、メイン案内ユニットの装着検出用の装置と、徴収課税球の検出用の装置とを別個に備える必要がなく、球払出機構の構成部品数を少なく抑えることができる。また、遊技者は、報知装置の報知動作により、間接税が徴収されているか否か、さらには、間接税が徴収されている場合には間接税分の遊技球の数を把握することができる。
【００１６】
請求項４に記載の発明によれば、検出装置は、発光部と受光部とを離間した状態で備え、発光部と受光部との間に突出片または遊技球を通して遮光することにより、突出片または遊技球を検出可能としたので、簡単な構成でメイン案内ユニットの有無や徴収課税球の流下を検出可能な検出装置を実現することができる。
【００１７】
請求項５に記載の発明によれば、サブ案内ユニットは、第２案内路を前面枠の後方へ向けて下り傾斜させ、第２案内路の傾斜下端を前面枠の後方または下方に露出する状態で開放したので、第２案内路から放出された課税徴収球を遊技機から離して落下させることができ、課税徴収球が遊技機の後側に位置する構成要素に衝突してこの構成要素が損傷する不都合を避けることができる。
【００１８】
請求項６に記載の発明によれば、前面枠の前面側には、貸球としての遊技球を貯留可能な球貯留部を備え、該球貯留部には、球払出機構から流下してきた遊技球が導出される導出口を開設し、該導出口の近傍に報知装置を配置したので、遊技者は、球貯留部に遊技球が供給される様子を確認しながら、間接税が徴収されているか否か、さらには、間接税が徴収されている場合には間接税分の遊技球の数を把握することができる。
【発明を実施するための最良の形態】
【００１９】
以下、代表的な遊技機であるパチンコ遊技機を例に挙げて本発明の実施の最良の形態を図面に基づき説明する。図１はパチンコ遊技機と球貸機との正面図、図２はパチンコ遊技機の背面図である。
パチンコ遊技機１は、機枠（外枠）２の前面に、大きな矩形状開口を有する略額縁状の前面枠（内枠）３を開閉可能に軸着し、この前面枠３に矩形状の遊技盤５を前面枠３の前方から着脱可能とし、前面枠３の前面側には、一側（図１中、左側）が軸着された透明部材保持枠７を開閉可能に設け、該透明部材保持枠７に透視可能な透明部材８を保持し、透明部材８を通して遊技盤５の前面をパチンコ遊技機１の前方から透視できるように構成している。さらに、透明部材保持枠７の下方には、賞球や貸球としての遊技球を貯留可能な上皿ユニット１１（本発明における球貯留部に相当）を一側（図１中、左側）が前面枠３に軸着されて開閉（回動）可能な状態で設け、該上皿ユニット１１の後側には、遊技球が導出される導出口１１ａを開設している。そして、上皿ユニット１１の下方には、下皿ユニット１２を上皿ユニット１１に対して左右方向にずれた位置に配置し、下皿ユニット１２の一側部（図１中、左側部）には灰皿１３を備え、他側部（図１中、右側部）には、発射装置１５（図３参照）を操作するための発射操作ユニット（発射操作ハンドル）１６を備えている。
【００２０】
また、図２に示すように、パチンコ遊技機１の裏面側、詳しくは前面枠３の裏面側には大きな枠状の裏機構盤１８を備え、該裏機構盤１８の中央部分に略矩形状の機構盤開口部１９を開設し、遊技制御装置２０等、遊技盤５の裏側から突出した部分を機構盤開口部１９内に配置して裏機構盤１８に干渉しないように構成されている。さらに、裏機構盤１８のうち機構盤開口部１９よりも上方の位置には、横長な球貯留ユニット（球貯留タンク）２１を備え、該球貯留ユニット２１内に遊技機島設備内の補給装置（図示せず）から補給された遊技球を貯留するとともに、この貯留した遊技球を球貯留ユニット２１から排出可能としている。そして、裏機構盤１８のうち機構盤開口部１９の側方（図２中、右側方）には、球貯留ユニット２１から排出された遊技球を払い出す球払出機構２２を配置している。また、機構盤開口部１９の下方には、球払出機構２２あるいは遊技盤５から流下してきた遊技球を下方へ誘導する回収誘導路（図示せず）を配置し、該回収誘導路の下流端をパチンコ遊技機１の外方へ向けて開放し、回収誘導路に誘導された遊技球をパチンコ遊技機１の外部、具体的には遊技機島設備内の球回収樋（図示せず）へ案内可能としている。さらに、該回収誘導路よりも後方の位置には、払出制御装置２５（本発明における制御装置に相当）、発射制御装置２６、電源装置２７、および中継基板２８を配置している。なお、球払出機構２２については、後で詳細に説明する。
【００２１】
一方、パチンコ遊技機１の側方（図１中、左側方）には縦長な球貸機３１を設けている。球貸機３１は、前面の上部に紙幣受入部３２を設け、前面の下部には球貸用のプリペイドカードを挿入可能なカードリーダライタ３３を設け、前面の上下方向の中央にはタッチパネル式の表示装置３４を備え、該表示装置３４の前面側の下部には貯球払出スイッチ３５等の複数の操作スイッチを備えている。また、球貸機３１の内部には、当該球貸機３１を制御する球貸制御部３６を内蔵し、該球貸制御部３６に利用可報知ＬＥＤ３７、カード挿入報知ＬＥＤ３８、カードリーダライタ３３、紙幣受入部３２、表示装置３４、貯球払出スイッチ３５等の操作スイッチ、さらには、パチンコ遊技機１内の払出制御装置２５や、透明部材保持枠７の下部に設けられた球貸スイッチ４０、カード返却スイッチ４１、残高表示器４２（図１および図３参照）を接続し、球貸制御部３６と払出制御装置２５との間で指令信号の送受信を行って球払出機構２２から遊技球を払い出せるように構成されている。
【００２２】
具体的に説明すると、球貸制御部３６（球貸機３１）は、払出制御装置２５（即ち、パチンコ遊技機１）から出力されるＰＲＤＹ信号（貸出準備信号）がＨｉの状態であれば、払出制御装置２５が遊技球の球貸制御が行える状態であると判断し、球貸スイッチからの球貸信号を受け付ける。そして、球貸信号を受け付けたならば、ＢＲＤＹ信号（球貸要求信号）をＨｉにして、この後ＢＲＱ信号（球貸指令）を送信する旨を払出制御装置２５へ連絡する。ＢＲＤＹ信号がＨｉになると、払出制御装置２５が球払出制御を行う準備を行い、ＢＲＱ信号の監視を行う。
【００２３】
さらに、球貸制御部３６がＢＲＤＹ信号をＨｉにしてから所定時間経過後にＢＲＱ信号をＨｉにすると、払出制御装置２５がこのＢＲＱ信号のＨｉを受け、ＥＸＳ信号をＨｉにしてＢＲＱ信号を受信したことを球貸機３１へ連絡するとともに、球払出機構２２を駆動制御して単位貸出金額に対して設定された単位貸出数（例えば２５個）の遊技球を払い出す。そして、この所定単位の払い出しが終了すると、払出制御装置２５は、出力しているＥＸＳ信号をＬｏにしてＢＲＱ信号に基づく遊技球の球貸完了を球貸機３１へ連絡する。ここで、球貸機３１からのＢＲＤＹ信号がＨｉを継続していれば、払出制御装置２５は、再びＢＲＱ信号の監視を行い、ＢＲＤＹ信号がＬｏになった場合は球貸制御処理を終了する。
【００２４】
一方、球貸機３１は、ＢＲＱ信号をＨｉにした後、払出制御装置２５から出力されたＥＸＳ信号のＨｉを確認すると、ＢＲＱ信号をＬｏにして、ＥＸＳ信号の監視を行う。ここで、ＥＸＳ信号のＬｏを確認すると、続けて球貸要求を行う場合は上記と同様にＢＲＱ信号をＨｉにし、また、球貸要求を行わない場合はＢＲＤＹ信号をＬｏにする。
【００２５】
また、払出制御装置２５は、遊技店において貸出料金に対する間接税を遊技者負担とするか否かに拘らず、単位貸出金額を間接税の課税対象とした場合に徴収される税額と同じ金額で貸出可能な数の遊技球を副払出球とし、単位貸出数から副払出球を差し引いた数の遊技球を主払出球とし、後述する球払出機構２２を制御して主払出球と副払出球とを区別して球払出機構２２内を流下させる。例えば、単位貸出金額が１００円で貸出可能な遊技球の数（単位貸出数）を２５個に設定し、さらに間接税の税率に基づいて副払出球を１個に設定した場合には、払出制御装置２５は、主払出球を２４個に設定する。なお、主払出球および副払出球の流下経路については、後で詳細に説明する。
【００２６】
次に、球払出機構２２について説明する。
球払出機構２２は、図４に示すように、遊技球の払い出し動作を行う払出ユニット４５と、該払出ユニット４５から流下する遊技球を案内するメイン案内ユニット４６と、該メイン案内ユニット４６が装着される案内ユニット装着部４７とを備えて構成されている。払出ユニット４５は、該払出ユニット４５の基部となる縦長なユニットベース５０を備え、該ユニットベース５０の後部の上寄りに流下切換装置５１を配置し、該流下切換装置５１の下方、詳しくはユニットベース５０の後部のうち上下方向の中間部分には球払出装置（球排出装置）５２を配置している。そして、球払出装置５２の下方、詳しくはユニットベース５０の後部の下寄りには払出誘導装置５３を配置し、該払出誘導装置５３の下部の側面を凹ませて案内ユニット装着部４７を設けている。また、ユニットベース５０の側部のうち流下切換装置５１、球払出装置５２および払出誘導装置５３の前方に位置する箇所には球抜流下路（図示せず）を縦向きに延在する状態で備え、ユニットベース５０の上部には、パチンコ遊技機１を該パチンコ遊技機１の外部へ電気的に接続する外部端子盤の収納部５４を備えている。さらに、ユニットベース５０の下部には、上皿ユニット１１の導出口１１ａ（図１参照）に連通する払出流下路５６を備え、球払出機構２２内の遊技球、詳しくは払出ユニット４５からメイン案内ユニット４６を通って排出された遊技球を賞球あるいは貸球として払出流下路５６へ流下させて導出口１１ａへ導出し、上皿ユニット１１へ供給できるように構成されている。
【００２７】
流下切換装置５１は、球貯留ユニット２１から流下してきた遊技球を賞球あるいは貸球としてパチンコ遊技機１の前面側、具体的には上皿ユニット１１あるいは下皿ユニット１２へ流下させるか、またはパチンコ遊技機１の外部（遊技機島設備内の球回収樋）へ流下させるかを切り換えるための装置である。そして、流下切換装置５１の上部には、球貯留ユニット２１の球整列樋２１ａに連通する受入流路５８を配置し、該受入流路５８の傾斜下端を払出路と球抜通路とに分岐している（何れも図示せず）。また、払出路を蛇行した状態で下方へ延設し、払出路の下端開口に後述する球払出装置５２の内部を連通可能としている。さらに、球抜通路を分岐部から側方へ延設し、球抜通路の下流側開口を流下切換装置５１の前側に開設し、該下流側開口に球抜流下路の上流端を連通している。
【００２８】
そして、払出路と球抜通路との分岐部には、操作レバー６１を手動により操作して切換可能な切換弁（図示せず）を設け、操作レバー６１を操作していない常態では、切換弁が受入流路５８と球抜通路とを遮断し、受入流路５８内の遊技球を払出路（さらには球払出装置５２）へ流下させる払出状態とする。一方、操作レバー６１を操作すると、切換弁が受入流路５８と球抜通路とを連通し、受入流路５８内の遊技球を球抜通路（さらには球抜流下路）へ流下させる球抜状態に切り換わるように構成されている。
【００２９】
球払出装置５２は、流下切換装置５１の払出路の下端に連通し、遊技球の排出動作を行う装置である。そして、流下切換装置５１の払出路から流下する遊技球（賞球あるいは貸球）を計数しながら払出誘導装置５３へ排出できる機能を備えている。具体的には、図５に示すように、当該球払出装置５２の内部に縦向きの球払出流路６４を形成し、該球払出流路６４の途中には、回転軸が球払出流路６４の長手方向とは直交する姿勢に設定されたスプロケット６５の端部を臨ませ、球払出流路６４のうちスプロケット６５よりも下方には遊技球を検出可能な計数センサ６６を設けている。また、球払出装置５２の側部には、球払出装置５２、詳しくはスプロケット６５を回転駆動する払出モータ（図示せず）を配置し、該払出モータの出力軸をスプロケット６５の回転軸６５ａに接続している。そして、スプロケット６５の外周部に複数の球保持溝６５ｂを形成し、該球保持溝６５ｂ内に遊技球が１つずつ嵌合した状態でスプロケット６５を回転すると、遊技球を球払出流路６４の下流側に流下させて計数センサ６６により検出するように構成されている。
【００３０】
払出誘導装置５３は、図６に示すように、側部が開放された浅い縦向き箱状の誘導装置基部７０と、該誘導装置基部７０の開放口を閉塞する装置カバー７１とを重合して備え、誘導装置基部７０の上部のうち当該誘導装置基部７０を挟んで装置カバー７１とは反対側（図６中、右側）には流路形成部材７２を重合し、該流路形成部材７２の誘導装置基部７０側を凹ませて逆Ｙ字状の払出誘導路７３を下流部が払出誘導装置５３の前後方向へ分岐した状態で形成している。また、払出誘導路７３の上流端（誘導流入口）７３ａを払出誘導装置５３の上方へ向けて開放して球払出流路６４の下流端へ連通し、払出誘導路７３の２つの下流端を流路形成部材７２の下方へ向けて開放している。そして、ユニットベース５０側（言い換えると払出誘導装置５３の前側）に位置する下流端を第１排出口７３ｂとし、該第１排出口７３ｂを挟んでユニットベース５０とは反対側（言い換えると払出誘導装置５３の後側）に位置する下流端を第２排出口７３ｃとし、払出誘導装置５３内（払出誘導路７３内）に流入した遊技球を第１排出口７３ｂおよび第２排出口７３ｃへ誘導（排出）可能としている。
【００３１】
さらに、払出誘導路７３の分岐箇所には、遊技球を第１排出口７３ｂへ排出するか第２排出口７３ｃへ排出するかを切り換える縦長な誘導切換弁７６を備え、誘導装置基部７０のユニットベース５０寄りには切換回動軸７７を第１排出口７３ｂおよび第２排出口７３ｃの並び方向（払出誘導装置５３の前後方向）とは直交する方向（払出誘導装置５３の左右方向）に延在する状態で挿着し、切換回動軸７７の流路形成部材７２側に誘導切換弁７６の下端部（軸着部）を回動自在な状態で嵌合している。したがって、誘導切換弁７６の上端部を切換回動軸７７が中心となって払出誘導装置５３の前後方向へ揺動可能とし、誘導切換弁７６の上端部を払出誘導装置５３の後寄りへ移動すると、誘導流入口７３ａと第２排出口７３ｃとの間を遮断するとともに誘導流入口７３ａと第１排出口７３ｂとを連通して第１誘導状態とし（図７（ａ）参照）、誘導流入口７３ａから流入してきた遊技球を第１排出口７３ｂへ誘導して排出する。一方、誘導切換弁７６の上端部を払出誘導装置５３の前寄りへ移動すると、誘導流入口７３ａと第１排出口７３ｂとの間を遮断するとともに誘導流入口７３ａと第２排出口７３ｃとを連通して第２誘導状態とし（図７（ｂ）参照）、誘導流入口７３ａから流入してきた遊技球を第２排出口７３ｃへ誘導して排出する。
【００３２】
また、誘導装置基部７０の内側、詳しくは当該誘導装置基部７０の装置カバー７１側（図６中、左側）には、誘導切換弁７６を駆動するための駆動機構（切換ギア７９、揺動アーム８０、誘導切換ソレノイド８１）を備えている。具体的には、切換回動軸７７のうち誘導装置基部７０の内側には扇状の切換ギア７９をギア面が誘導装置基部７０の後側に位置する状態で嵌合し、該切換ギア７９のうち切換回動軸７７から外れた箇所と誘導切換弁７６のうち切換回動軸７７から外れた箇所とを連結ロッド８２により連結して、切換ギア７９と誘導切換弁７６とを共回り可能としている。また、切換回動軸７７を挟んでユニットベース５０とは反対側には横長な揺動アーム８０を切換ギア７９側へ延在する状態で備え、該揺動アーム８０の切換ギア７９側には、切換ギア７９に噛合可能な揺動ギア８３を形成し、揺動アーム８０を挟んで切換ギア７９とは反対側の端部を誘導装置基部７０に回動自在な状態で軸着して、揺動ギア８３を上下方向へ揺動できるように構成されている。さらに、揺動アーム８０の下方には誘導切換ソレノイド８１をプランジャ８１ａが揺動アーム８０側に縦向きで位置する状態で配置し、プランジャ８１ａの先端部と揺動アーム８０の中間部分とを係合している。したがって、誘導切換ソレノイド８１を消磁した常態においては、プランジャ８１ａを収縮して揺動アーム８０とともに揺動ギア８３を下方へ移動し、さらには切換ギア７９を下方へ回動して誘導切換弁７６を第１誘導状態に設定する（図７（ａ）参照）。一方、誘導切換ソレノイド８１を励磁すると、プランジャ８１ａを伸長して揺動アーム８０とともに揺動ギア８３を上方へ移動し、さらには切換ギア７９を上方へ回動して誘導切換弁７６を第２誘導状態に設定する（図７（ｂ）参照）。
【００３３】
メイン案内ユニット４６は、流路形成部材７２の下方に配置されるユニットであり、図６に示すように、当該メイン案内ユニット４６のうち誘導装置基部７０に対向する側部を凹ませてＹ字状の案内流下路８６を上流部が払出誘導装置５３の前後方向へ分岐した状態で形成している。また、案内流下路８６の２つの上流端をメイン案内ユニット４６の上方へ向けて開放し、案内流下路８６の下流端（案内流出口）８６ａをメイン案内ユニット４６の前方へ向けて開放して払出流下路５６の上流端へ連通している。さらに、ユニットベース５０側（言い換えるとメイン案内ユニット４６の前側）に位置する上流端を第１案内流入口８６ｂとして第１排出口７３ｂへ連通し、該第１案内流入口８６ｂを挟んでユニットベース５０とは反対側（言い換えるとメイン案内ユニット４６の後側）に位置する上流端を第２案内流入口８６ｃとして第２排出口７３ｃへ連通し、第１排出口７３ｂおよび第２排出口７３ｃから排出された遊技球を案内流下路８６へ通して払出流下路５６へ案内できるように構成されている。そして、案内流下路８６を挟んでユニットベース５０とは反対側の位置には突出片８７を案内ユニット装着部４７側へ向けて突設し、突出片８７の前方および後方に位置する部分にはメイン止着部８９を誘導装置基部７０側へ向けて円筒状に凹ませて形成している。
【００３４】
払出誘導装置５３の下部に設けられた案内ユニット装着部４７は、図６および図８に示すように、メイン案内ユニット４６を装着可能とするボス状のメイン装着部９１を装置カバー７１のうちメイン止着部８９の延長線上に位置する箇所から誘導装置基部７０側へ向けて突設し、メイン装着部９１の先端部を誘導装置基部７０に開設されたメイン貫通孔９２から流路形成部材７２の下方、言い換えるとメイン案内ユニット４６側へ臨ませている。そして、メイン装着部９１の先端部にメイン止着部８９（メイン案内ユニット４６）を取り外し不能な固着部材、例えば、締め方向への回転を許容され、且つ緩み方向への回転を規制されたワンウェイねじ９３で固着している。また、装置カバー７１のうちメイン装着部９１の基端の周囲には、複数の貫通孔９４をミシン目状に開設して支持片９５を隣り合う貫通孔９４の間に形成し、該支持片９５によりメイン装着部９１を支持している。
【００３５】
さらに、誘導装置基部７０のうち突出片８７に対向する箇所には、図６および図７に示すように、発光部９８ａと受光部９８ｂとを離間した状態で備えた光学式の検出装置９８を配置し、発光部９８ａと受光部９８ｂとの間に突出片８７を通して遮光することにより検出装置９８で突出片８７を検出し、ひいてはメイン案内ユニット４６が装着されている状態（メイン案内状態）であることを検出して払出制御装置２５へ検出信号を送信できるように構成されている。なお、発光部９８ａと受光部９８ｂとの離間距離は、突出片８７および遊技球が十分に通過可能な程度に設定されている。
【００３６】
そして、案内ユニット装着部４７には、払出ユニット４５から流下する遊技球を案内するサブ案内ユニット１０１をメイン案内ユニット４６と交換して装着可能としている。具体的に説明すると、図８に示すように、装置カバー７１のうちメイン装着部９１から上方あるいは下方へ外れた箇所にはボス状のサブ装着部１０２を誘導装置基部７０側へ向けて突設し、サブ装着部１０２の先端部を誘導装置基部７０に開設されたサブ貫通孔１０３から流路形成部材７２の下方へ臨ませている。そして、サブ装着部１０２の先端部にサブ案内ユニット１０１を止着可能としている。
【００３７】
サブ案内ユニット１０１は、図９に示すように、当該サブ案内ユニット１０１のうち誘導装置基部７０に対向する側部を縦長な溝状に凹ませて第１案内路１０６を形成し、該第１案内路１０６を挟んでユニットベース５０が位置し得る場所とは反対側（図９中、左側）に位置する部分、言い換えると第１案内路１０６の後方には、縦長なクランク溝状の第２案内路１０７を誘導装置基部７０側から凹ませて形成している。また、第１案内路１０６の上流端（第１案内上流開口）１０６ａをサブ案内ユニット１０１の上方へ開放して第１排出口７３ｂへ連通可能とし、第２案内路１０７の上流端（第２案内上流開口）１０７ａをサブ案内ユニット１０１の上方へ開放して第２排出口７３ｃへ連通可能としている（図１０（ａ）および（ｂ）参照）。さらに、第１案内路１０６の下流端（第１案内下流開口）１０６ｂをサブ案内ユニット１０１の前方（ユニットベース５０が位置し得る方向）へ開放して払出流下路５６の上流端へ連通可能とし、第２案内路１０７の下流側を第１案内路１０６から離れる方向へ向けて下り傾斜させ、第２案内路１０７の傾斜下端（第２案内下流開口１０７ｂ）をサブ案内ユニット１０１の下方へ開放している。そして、第２案内路１０７の中間部分には、検出装置９８を収納可能な検出収納空間部１０９を形成し、該検出収納空間部１０９へ検出装置９８を収納すると、発光部９８ａと受光部９８ｂとの間の空間が第２案内路１０７上に配置されるとともに、発光部９８ａと受光部９８ｂとが第２案内路１０７内に突出しない状態に設定されるように構成されている。また、サブ案内ユニット１０１のうちサブ装着部１０２の先端部に対向し得る位置にはサブ止着部１１０を誘導装置基部７０側へ向けて円筒状に凹ませて形成している。なお、サブ案内ユニット１０１の案内ユニット装着部４７への装着手順については、後で詳細に説明する。
【００３８】
さらに、パチンコ遊技機１は、図１に示すように、前面枠３の前面側に位置する上皿ユニット１１のうち導出口１１ａの近傍、具体的にはパチンコ遊技機１の正面から見て導出口１１ａの前方に位置する前側部分に、払出制御装置２５により制御される発光式の報知装置（例えばＬＥＤ）１１２を配置している。
【００３９】
次に、パチンコ遊技機１における貸球の払出動作について説明する。なお、当初においては遊技球の貸出料金に対する間接税を遊技者負担としないものと設定し、球払出機構２２の案内ユニット装着部４７には予めメイン案内ユニット４６をワンウェイねじ９３により固着しているものとする。また、メイン案内ユニット４６の固着作業は、例えばパチンコ遊技機１を工場から出荷する時点で既に完了しているものとする。さらに、流下切換装置５１の払出路内および球払出装置５２の球払出流路６４内には複数の遊技球を停留して、払出誘導装置５３の誘導切換弁７６を第１誘導状態に設定しているものとする。
【００４０】
遊技者がパチンコ遊技機１および球貸機３１に対して遊技球の貸出操作を行うと、払出制御装置２５は、図１１に示すように、誘導切換弁７６を第１誘導状態に維持した状態（図７（ａ）参照）で球払出装置５２の払出モータを駆動（ＯＮ）してスプロケット６５の回転、すなわち遊技球の排出動作を開始し、遊技球を球払出流路６４の下流端から払出誘導路７３の誘導流入口７３ａへ排出する。このとき、単位貸出数（例えば２５個）ごとに遊技球を主払出球（例えば２４個）と副払出球（例えば１個）とに分けて設定し、計数センサ６６による遊技球の検出信号に基づいて、払出誘導装置５３を制御して主払出球を第１排出口７３ｂから排出するとともに副払出球を第２排出口７３ｃから排出する。
【００４１】
具体的に説明すると、まず、遊技球を主払出球として球払出流路６４から払出誘導路７３へ流下させ、第１排出口７３ｂへ排出する。すると、メイン案内ユニット４６（球払出機構２２）は、この主払出球を第１案内流入口８６ｂへ通して案内流下路８６内へ受け入れ、該案内流下路８６により主払出球を貸球として払出流下路５６、ひいては上皿ユニット１１へ案内する。そして、最終の主払出球として設定される遊技球（例えば、単位貸出数を２５個とした遊技球の排出動作を開始してから２４個目の遊技球）が計数センサ６６により検出されたならば、払出制御装置２５は、最終の主払出球の検出信号に基づいて払出モータの駆動を一旦停止（ＯＦＦ）し、さらには誘導切換ソレノイド８１を励磁（ＯＮ）し、誘導切換弁７６を第１誘導状態から第２誘導状態へ変換して払出誘導路７３内へ流入した遊技球の排出箇所を第１排出口７３ｂから第２排出口７３ｃへ切り換える（図７（ｂ）参照）。
【００４２】
誘導切換弁７６を第１誘導状態から第２誘導状態へ変換したならば、図１１に示すように、払出モータの駆動を再開（ＯＮ）し、遊技球を副払出球として球払出装置５２の球払出流路６４から払出誘導装置５３の払出誘導路７３へ流下させ、第２排出口７３ｃから排出する。すると、メイン案内ユニット４６（球払出機構２２）は、この副払出球を第２案内流入口８６ｃへ通して案内流下路８６内へ受け入れ、該案内流下路８６により副払出球を貸球として払出流下路５６、ひいては上皿ユニット１１へ案内する。そして、最終の副払出球として設定される遊技球、言い換えると単位貸出数の最後の遊技球（例えば、単位貸出数を２５個とした遊技球の排出動作を開始してから２５個目の遊技球）が計数センサ６６により検出されたならば、払出制御装置２５は、払出モータの駆動を停止（ＯＦＦ）し、さらには誘導切換ソレノイド８１を消磁（ＯＦＦ）し、誘導切換弁７６を第２誘導状態から第１誘導状態へ変換して払出誘導路７３内へ流入した遊技球の排出箇所を第２排出口７３ｃから第１排出口７３ｂへ切り換える（図７（ａ）参照）。このようにして、球払出機構２２は、払出制御装置２５による制御に基づいて、単位貸出数の遊技球（主払出球および副払出球）を貸球として上皿ユニット１１へ払い出す。
【００４３】
また、案内ユニット装着部４７にメイン案内ユニット４６を装着したメイン案内状態では、検出装置９８が突出片８７を常時検出し、払出制御装置２５がこの検出信号に基づいてメイン案内状態であると判断し、報知装置１１２に報知動作（具体的には発光（ＯＮ）動作）を行わせてメイン案内状態であること、ひいては遊技球の貸出料金に対する間接税を遊技者から徴収していないことをパチンコ遊技機１の前方、言い換えると遊技者側へ報知する。
【００４４】
そして、貸出料金に対する間接税を遊技者負担とする場合には、サブ案内ユニット１０１をメイン案内ユニット４６と交換して案内ユニット装着部４７へ装着する。具体的には、メイン装着部９１を支持する複数の支持片９５を全てニッパー等の工具で切り離してメイン装着部９１を案内ユニット装着部４７（装置カバー７１の下部）から切断し、メイン装着部９１をワンウェイねじ９３で固着した状態でメイン案内ユニット４６を案内ユニット装着部４７から取り外し、メイン案内ユニット４６とサブ案内ユニット１０１との交換を許容する（図１２（ａ）参照）。メイン案内ユニット４６を取り外したならば、図１２（ｂ）に示すように、サブ案内ユニット１０１を検出収納空間部１０９が案内ユニット装着部４７の検出装置９８に対向する姿勢、且つ第１案内路１０６がユニットベース５０側（図１２（ｂ）中、右側）に位置する姿勢に設定し、この姿勢でサブ案内ユニット１０１を案内ユニット装着部４７へ装着し、サブ止着部１１０とサブ装着部１０２とを固着部材、例えば、メイン装着部９１を固着したワンウェイねじ９３とは別個のワンウェイねじ（図示せず）で固着する。このようにして案内ユニット装着部４７に固着されたサブ案内ユニット１０１は、検出収納空間部１０９内に検出装置９８を収納して第２案内路１０７へ臨ませ、発光部９８ａと受光部９８ｂとの間に第２案内路１０７内の遊技球を通して遮光することにより、この遊技球を検出装置９８により検出可能とする。また、第１案内上流開口１０６ａを第１排出口７３ｂへ連通し、第２案内上流開口１０７ａを第２排出口７３ｃへ連通する。さらに、第１案内下流開口１０６ｂを払出流下路５６の上流端へ連通し、第２案内路１０７の下流側を前面枠３の後方へ向けて下り傾斜させ、第２案内下流開口１０７ｂを前面枠３の下方へ露出する状態、且つ、遊技機島設備の球回収樋、詳しくは球回収樋の上部に開設された上部開放口（図示せず）の上方に臨ませた状態で開放する。
【００４５】
なお、案内ユニット装着部４７にサブ案内ユニット１０１を装着したサブ案内状態では、検出装置９８による突出片８７の検出が行われない。この突出片８７の不検出に基づいて、払出制御装置２５はサブ案内状態であると判断し、報知装置１１２に発光停止（ＯＦＦ）という報知動作を行わせてサブ案内状態であること、ひいては遊技球の貸出料金に対する間接税を遊技者から徴収する準備が整っていることをパチンコ遊技機１の前方、言い換えると遊技者側へ報知する（図１３参照）。
【００４６】
そして、サブ案内状態で遊技者がパチンコ遊技機１および球貸機３１に対して遊技球の貸出操作を行うと、払出制御装置２５は、払出モータおよび誘導切換ソレノイド８１に対してメイン案内ユニット４６装着時と同じ制御を行う。詳しくは、図１３に示すように、誘導切換弁７６を第１誘導状態に維持した状態（図１０（ａ）参照）で球払出装置５２の払出モータを駆動（ＯＮ）してスプロケット６５の回転、すなわち遊技球の排出動作を開始し、遊技球を球払出流路６４の下流端から払出誘導路７３の誘導流入口７３ａへ排出する。このとき、単位貸出数（例えば２５個）ごとに遊技球を主払出球（例えば２４個）と副払出球（例えば１個）とに分けて設定し、計数センサ６６による遊技球の検出信号に基づいて、払出誘導装置５３を制御して主払出球を第１排出口７３ｂから排出するとともに副払出球を第２排出口７３ｃから排出する。
【００４７】
具体的に説明すると、まず、遊技球を主払出球として球払出流路６４から払出誘導路７３へ流下させ、第１排出口７３ｂから排出する。すると、サブ案内ユニット１０１（球払出機構２２）は、この主払出球を第１案内流入口８６ｂへ通して第１案内路１０６内へ受け入れ、該第１案内路１０６により主払出球を貸球として払出流下路５６、ひいては上皿ユニット１１へ案内する。そして、最終の主払出球として設定される遊技球（例えば、単位貸出数を２５個とした遊技球の排出動作を開始してから２４個目の遊技球）が計数センサ６６により検出されたならば、払出制御装置２５は、最終の主払出球の検出信号に基づいて払出モータの駆動を一旦停止（ＯＦＦ）し、さらには誘導切換ソレノイド８１を励磁（ＯＮ）し、誘導切換弁７６を第１誘導状態から第２誘導状態へ変換して払出誘導路７３内へ流入した遊技球の排出箇所を第１排出口７３ｂから第２排出口７３ｃへ切り換える（図１０（ｂ）参照）。
【００４８】
誘導切換弁７６を第１誘導状態から第２誘導状態へ変換したならば、払出制御装置２５が払出モータの駆動を再開（ＯＮ）し、遊技球を副払出球として球払出装置５２の球払出流路６４から払出誘導装置５３の払出誘導路７３へ流下させ、第２排出口７３ｃから排出する。すると、サブ案内ユニット１０１（球払出機構２２）は、この副払出球を課税徴収球として第２案内路１０７へ流下させ、この課税徴収球（副払出球）を検出装置９８により検出する。さらに、第２案内下流開口１０７ｂから前面枠３の後方へ放出して、上皿ユニット１１へ払い出さずにパチンコ遊技機１の外部に案内し、遊技機島設備の球回収樋の上部開放口へ落下させる。この結果、球払出機構２２は、間接税の課税分だけ貸球の数を差し引いて遊技者に遊技球を貸し出し、遊技者に間接税を負担させたことになる。したがって、払出制御装置２５による制御手順を変更せず、メイン案内ユニット４６をサブ案内ユニット１０１に交換するだけで、パチンコ遊技機１の設定を遊技球の貸出料金に対する間接税を徴収しない状態から、間接税を徴収する状態へ簡単に移行することができる。さらに、第２案内路１０７の下流部を前面枠３の後方へ向けて下り傾斜させ、第２案内下流開口１０７ｂを前面枠３の下方に露出する状態で開放しているので、第２案内路１０７から放出された課税徴収球をパチンコ遊技機１から離して落下させることができ、課税徴収球がパチンコ遊技機１の後側に位置する構成要素（払出制御装置２５、発射制御装置２６、電源装置２７等）に衝突して構成要素が損傷する不都合を避けることができる。
【００４９】
また、検出装置９８が課税徴収球の流下を検出し、払出制御装置２５がこの検出信号に基づいて報知装置１１２に報知動作（具体的には発光（ＯＮ）動作）を行わせて課税徴収球がパチンコ遊技機１の外部へ案内されることを報知する。したがって、単一の検出装置９８によりメイン案内ユニット４６の有無や徴収課税球の流下を検出することができる。これにより、メイン案内ユニット４６の装着検出用の装置と、徴収課税球の検出用の装置とを別個に備える必要がなく、球払出機構２２の構成部品数を少なく抑えることができる。そして、遊技者は、報知装置１１２の報知動作により、間接税が徴収されているか否か、さらには、間接税が徴収されている場合には間接税分の遊技球の数を把握することができる。しかも、導出口１１ａの近傍に報知装置１１２を配置しているので、上皿ユニット１１に遊技球（貸球）が供給される様子を確認しながら、間接税徴収の有無や間接税分の遊技球の数を把握することができる。また、検出装置９８に発光部９８ａと受光部９８ｂとを離間した状態で備え、発光部９８ａと受光部９８ｂとの間に突出片８７または遊技球を通して遮光することにより、突出片８７または遊技球を検出可能としたので、簡単な構成でメイン案内ユニット４６の有無や徴収課税球の流下を検出可能な検出装置９８を実現することができる。
【００５０】
そして、最終の副払出球（徴収課税球）として設定される遊技球、言い換えると単位貸出数の最後の遊技球（例えば、単位貸出数を２５個とした遊技球の排出動作を開始してから２５個目の遊技球）が計数センサ６６により検出されたならば、払出制御装置２５は、払出モータの駆動を停止（ＯＦＦ）し、さらには誘導切換ソレノイド８１を消磁（ＯＦＦ）し、誘導切換弁７６を第２誘導状態から第１誘導状態へ変換して払出誘導路７３内へ流入した遊技球の排出箇所を第２排出口７３ｃから第１排出口７３ｂへ切り換える（図１０（ａ）参照）。
【００５１】
このようにして間接税徴収に対応可能な球払出機構２２は、メイン装着部９１を切断してメイン案内ユニット４６とサブ案内ユニット１０１とを交換可能としたので、メイン案内ユニット４６を一度取り外すと再度装着することができなくなる。したがって、遊技店側の不正操作、具体的には、遊技店側が間接税を遊技者に負担してもらうとはしていないにも拘らず、不当にサブ案内ユニット１０１を装着して遊技者への貸球の数を減らし、再びメイン案内ユニット４６を装着して貸球の数を元に戻そうとする不正操作を防ぐことができる。また、メイン装着部９１にメイン案内ユニット４６を固着する固着部材をワンウェイねじ９３としたので、簡単な構成で取り外し不能な固着部材を実現することができる。
【００５２】
なお、上記実施形態では、払出モータを一時停止して球払出装置５２からの遊技球の流下を停止し、遊技球の流下の停止中に誘導切換弁７６を第１誘導状態から第２誘導状態へ変換したが、本発明はこれに限定しない。例えば、払出モータを一時停止する代わりに回転速度を低速に設定することで遊技球の流下タイミングを遅らせて、誘導切換弁７６の変換のための時間を確保してもよい。また、第２案内下流開口１０７ｂを前面枠３の下方へ露出する状態で開放したが、本発明はこれに限定されず、前面枠３の後方へ露出する状態で開放してもよい。
【００５３】
ところで、上記実施形態では、払出誘導装置５３の払出誘導路７３内で遊技球を主払出球として流下させるか、あるいは副払出球として流下させるかを振り分けていたが、本発明はこれに限定されない。例えば、図１４に示す第２実施形態では、基本的には第１実施形態と同じであるが、球払出装置１２０の内部に２つの球払出流路（第１球払出流路１２１，第２球払出流路１２２）を設けている点、および払出誘導装置１２４の内部に誘導切換弁および駆動機構を設けず、その代わりに分岐箇所のない２つの払出誘導路（第１払出誘導路１２６，第２払出誘導路１２７）を並設している点で異なる。
【００５４】
具体的に説明すると、第２実施形態における球払出装置１２０は、当該球払出装置１２０の内部に２つの球払出流路１２１，１２２を縦向きで球払出機構２２の前後方向（パチンコ遊技機１の前後方向）に沿って並ぶ状態で形成している。詳しくは、ユニットベース５０側（図１４（ａ）中、左側）に第１球払出流路１２１を形成するとともに、第１球払出流路１２１を挟んでユニットベース５０とは反対側（図１４（ａ）中、右側）に第２球払出流路１２２を形成し、第１球払出流路１２１により主払出球を排出可能とし、第２球払出流路１２２により副払出球を排出可能としている。また、第１球払出流路１２１の途中には、回転軸１２９ａが第１球払出流路１２１の長手方向とは直交する姿勢に設定された第１スプロケット１２９の端部を臨ませ、第２球払出流路１２２の途中には、回転軸１３０ａが第１球払出流路１２２の長手方向とは直交する姿勢に設定された第２スプロケット１３０の端部を臨ませている。そして、第１球払出流路１２１のうち第１スプロケット１２９よりも下方には遊技球を検出可能な第１計数センサ１３１を設け、第２球払出流路１２２のうち第２スプロケット１３０よりも下方には遊技球を検出可能な第２計数センサ１３２を設けている。さらに、球払出装置１２０の側部には、第１スプロケット１２９を回転駆動する第１払出モータと、第２スプロケット１３０を回転駆動する第２払出モータとを配置し（何れも図示せず）、第１払出モータの出力軸を第１スプロケット１２９の回転軸１２９ａに接続し、第２払出モータの出力軸を第２スプロケット１３０の回転軸１３０ａに接続している。そして、第１スプロケット１２９の球保持溝１２９ｂ内に遊技球が１つずつ嵌合した状態で第１スプロケット１２９を回転すると、遊技球を第１球払出流路１２１の下流側に流下させて第１計数センサ１３１により検出し、第２スプロケット１３０の球保持溝１３０ｂ内に遊技球が１つずつ嵌合した状態で第２スプロケット１３０を回転すると、遊技球を第２球払出流路１２２の下流側に流下させて第２計数センサ１３２により検出するように構成されている。
【００５５】
また、払出誘導装置１２４の流路形成部材１３４には、２つの払出誘導路１２６，１２７を縦向きで球払出機構２２の前後方向（パチンコ遊技機１の前後方向）に沿って並ぶ状態で形成している。詳しくは、ユニットベース５０側（図１４（ａ）中、左側）に第１払出誘導路１２６を形成するとともに、第１払出誘導路１２６を挟んでユニットベース５０とは反対側（図１４（ａ）中、右側）に第２払出誘導路１２７を形成している。そして、第１払出誘導路１２６の上流端を第１球払出流路１２１の下流端へ連通するとともに、第２払出誘導路１２７の上流端を第２球払出流路１２２の下流端へ連通している。さらに、案内ユニット装着部４７にメイン案内ユニット４６を装着したメイン案内状態では、第１払出誘導路１２６の下流端（第１排出口）１２６ａを第１案内流入口８６ｂへ連通するとともに、第２払出誘導路１２７の下流端（第２排出口）１２７ａをメイン案内ユニット４６の第２案内流入口８６ｃへ連通する（図１４（ａ）参照）。また、案内ユニット装着部４７にサブ案内ユニット１０１を装着したサブ案内状態では、第１排出口１２６ａを第１案内上流開口１０６ａへ連通するとともに、第２払出誘導路１２７の第２排出口１２７ａを第２案内上流開口１０７ａへ連通する（図１４（ｂ）参照）。
【００５６】
このような構成を備えた球払出機構２２において、メイン案内状態にして遊技球の貸出料金に対する間接税を遊技者負担としないものと設定し、遊技者がパチンコ遊技機１および球貸機３１に対して遊技球の貸出操作を行うと、払出制御装置２５は、図１５に示すように、第１払出モータを駆動（ＯＮ）して第１スプロケット１２９の回転を開始し、遊技球を主払出球として第１計数センサ１３１により検出し、第１球払出流路１２１の下流端から第１払出誘導路１２６へ排出する。すると、メイン案内ユニット４６（球払出機構２２）は、主払出球を第１案内流入口８６ｂへ通して案内流下路８６内へ受け入れ、該案内流下路８６により主払出球を貸球として払出流下路５６、ひいては上皿ユニット１１へ案内する。
【００５７】
そして、最終の主払出球として設定される遊技球よりも１個前の遊技球（例えば、主払出球を２４個とした場合には、主払出球の排出動作を開始してから２３個目の遊技球）が第１計数センサ１３１により検出されたならば、払出制御装置２５は、第１払出モータの駆動を一旦停止（ＯＦＦ）し、続いて第２払出モータの駆動を開始（ＯＮ）して第２スプロケット１３０の回転を開始し、遊技球（例えば、１個の遊技球）を副払出球として第２計数センサ１３２により検出し、第２球払出流路１２２の下流端から第２払出誘導路１２７へ排出する。すると、メイン案内ユニット４６（球払出機構２２）は、この副払出球を第２案内流入口８６ｃへ通して案内流下路８６内へ受け入れ、該案内流下路８６により副払出球を貸球として払出流下路５６、ひいては上皿ユニット１１へ案内する。
【００５８】
そして、副払出球として設定される遊技球が第２計数センサ１３２により検出されたならば、払出制御装置２５は、第２払出モータの駆動を停止（ＯＦＦ）し、第１払出モータの駆動を再開（ＯＮ）して第１スプロケット１２９の回転を開始し、未払い出し分の主払出球（例えば、主払出球として２４個目となる１個の遊技球）を第１計数センサ１３１により検出し、第１球払出流路１２１の下流端から第１払出誘導路１２６へ排出する。すると、メイン案内ユニット４６（球払出機構２２）は、この未払い出し分の主払出球を第１案内流入口８６ｂへ通して案内流下路８６内へ受け入れ、該案内流下路８６により主払出球を貸球として払出流下路５６、ひいては上皿ユニット１１へ案内する。さらに、未払い出し分の主払出球が第１計数センサ１３１により検出されたならば、払出制御装置２５は、第１払出モータの駆動を停止（ＯＦＦ）する。このようにして、球払出機構２２は、単位貸出数の遊技球（主払出球および副払出球）を貸球として上皿ユニット１１へ払い出す。
【００５９】
また、案内ユニット装着部４７にメイン案内ユニット４６を装着したメイン案内状態では、検出装置９８により突出片８７を常時検出し、払出制御装置２５がこの検出信号に基づいてメイン案内状態であると判断し、報知装置１１２に報知動作（具体的には発光（ＯＮ）動作）を行わせてメイン案内状態であること、ひいては遊技球の貸出料金に対する間接税を遊技者から徴収していないことをパチンコ遊技機１の前方、言い換えると遊技者側へ報知する。
【００６０】
そして、貸出料金に対する間接税を遊技者負担とする場合には、サブ案内ユニット１０１をメイン案内ユニット４６と交換して案内ユニット装着部４７へ装着する。そして、サブ案内ユニット１０１の装着状態で遊技者がパチンコ遊技機１および球貸機３１に対して遊技球の貸出操作を行うと、払出制御装置２５は、第１払出モータおよび第２払出モータに対してメイン案内ユニット４６装着時と同じ制御を行う。詳しくは、図１６に示すように、第１払出モータを駆動（ＯＮ）して第１スプロケット１２９の回転を開始し、遊技球を主払出球として第１計数センサ１３１により検出し、第１球払出流路１２１の下流端から第１払出誘導路１２６へ排出する。すると、サブ案内ユニット１０１（球払出機構２２）は、主払出球を第１案内流入口８６ｂへ通して案内流下路８６内へ受け入れ、該案内流下路８６により主払出球を貸球として払出流下路５６、ひいては上皿ユニット１１へ案内する。
【００６１】
そして、最終の主払出球として設定される遊技球よりも１個前の遊技球（例えば、主払出球を２４個とした場合には、主払出球の排出動作を開始してから２３個目の遊技球）が第１計数センサ１３１により検出されたならば、払出制御装置２５は、第１払出モータの駆動を一旦停止（ＯＦＦ）し、続いて第２払出モータの駆動を開始（ＯＮ）して第２スプロケット１３０の回転を開始し、遊技球（例えば、１個の遊技球）を副払出球として第２計数センサ１３２により検出し、第２球払出流路１２２の下流端から第２払出誘導路１２７へ排出する。すると、サブ案内ユニット１０１（球払出機構２２）は、副払出球を課税徴収球として第２案内路１０７へ流下させ、この課税徴収球（副払出球）を検出装置９８により検出する。さらに、第２案内下流開口１０７ｂから前面枠３の後方へ放出して、上皿ユニット１１へ払い出さずにパチンコ遊技機１の外部に案内し、遊技機島設備の球回収樋の上部開放口へ落下させる。この結果、球払出機構２２は、間接税の課税分だけ貸球の数を差し引いて遊技者に遊技球を貸し出し、遊技者に間接税を負担させたことになる。したがって、第２実施形態においても、払出制御装置２５による制御手順を変更せず、メイン案内ユニット４６をサブ案内ユニット１０１に交換するだけで、パチンコ遊技機１の設定を遊技球の貸出料金に対する間接税を徴収しない状態から、間接税を徴収する状態へ簡単に移行することができる。
【００６２】
そして、副払出球として設定される遊技球が第２計数センサ１３２により検出されたならば、払出制御装置２５は、第２払出モータの駆動を停止（ＯＦＦ）し、第１払出モータの駆動を再開（ＯＮ）して第１スプロケット１２９の回転を開始し、未払い出し分の主払出球（例えば、主払出球として２４個目となる１個の遊技球）を第１計数センサ１３１により検出し、第１球払出流路１２１の下流端から第１払出誘導路１２６へ排出する。すると、サブ案内ユニット１０１（球払出機構２２）は、未払い出し分の主払出球を第１案内流入口８６ｂへ通して案内流下路８６内へ受け入れ、該案内流下路８６により主払出球を貸球として払出流下路５６、ひいては上皿ユニット１１へ案内する。さらに、未払い出し分の主払出球が第１計数センサ１３１により検出されたならば、払出制御装置２５は、第１払出モータの駆動を停止（ＯＦＦ）する。
【００６３】
このようにして間接税徴収に対応可能な第２実施形態における球払出機構２２は、主払出球および副払出球を振り分けるための機構を必要としないため、払出誘導装置１２４の構成部品数を抑えることができる。また、払出誘導装置１２４において電力を消費することがなく、さらに、第１払出モータと第２払出モータとを同時に駆動することを避けているので、パチンコ遊技機１の消費電力が増大する不都合を抑制することができる。
【００６４】
ところで、上記各実施形態では、固着部材としてワンウェイねじを採用したが、本発明はこれに限定されず、メイン案内ユニット４６をメイン装着部９１へ固着可能であればどのような固着部材であってもよい。また、上記各実施形態では、発光部９８ａと受光部９８ｂとを備えた非接触式の検出装置９８で遊技球または突出片８７を検出するように構成したが、本発明はこれに限定されない。要は、遊技球または突出片８７を検出可能であればどのような構成の検出装置で遊技球または突出片８７を検出してもよい。例えば、遊技球または突出片に接触して検出可能な接触式の検出装置であってもよい。
【００６５】
また、上記実施形態では、代表的な遊技機であるパチンコ遊技機を例にして説明したが、本発明はこれに限らず、単位貸出金額に対して設定された単位貸出数の遊技球を払出可能な球払出機構と、球払出機構を制御する制御装置とを前面枠に備えた遊技機であればどのような遊技機でもよい。例えば、封入球式パチンコ機、アレンジボール式遊技機、雀球式遊技機等の遊技機であってもよい。
【００６６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００６７】
【図１】パチンコ遊技機および球貸機の正面図である。
【図２】パチンコ遊技機の背面図である。
【図３】パチンコ遊技機および球貸機の制御系統のブロック構成図である。
【図４】球払出機構の斜視図である。
【図５】球払出装置の断面図である。
【図６】払出誘導装置およびメイン案内ユニットの分解斜視図である。
【図７】メイン案内ユニットを装着した払出誘導装置の断面図であり、（ａ）は第１誘導状態における断面図、（ｂ）は第２誘導状態における断面図である。
【図８】装置カバーの斜視図である。
【図９】サブ案内ユニットの斜視図である。
【図１０】サブ案内ユニットを装着した払出誘導装置の断面図であり、（ａ）は第１誘導状態における断面図、（ｂ）は第２誘導状態における断面図である。
【図１１】メイン案内状態における球貸動作のタイムチャートである。
【図１２】（ａ）は案内ユニット装着部からメイン案内ユニットを取り外した状態図、（ｂ）は案内ユニット装着部にサブ案内ユニットを装着する前の状態図である。
【図１３】サブ案内状態における球貸動作のタイムチャートである。
【図１４】第２実施形態における球払出装置および払出誘導装置の断面図であり、（ａ）はメイン案内状態における断面図、（ｂ）はサブ案内状態における案内図である。
【図１５】第２実施形態のメイン案内状態における球貸動作のタイムチャートである。
【図１６】第２実施形態のサブ案内状態における球貸動作のタイムチャートである。
【符号の説明】
【００６８】
１  パチンコ遊技機
３  前面枠
５  遊技盤
７  透明部材保持枠
１１  上皿ユニット
１１ａ  導出口
２１  球貯留ユニット
２２  球払出機構
２５  払出制御装置
２６  発射制御装置
３１  球貸機
３６  球貸制御部
４５  払出ユニット
４６  メイン案内ユニット
４７  案内ユニット装着部
５０  ユニットベース
５１  流下切換装置
５２  球払出装置
５３  払出誘導装置
５６  払出流下路
６４  球払出流路
６５  スプロケット
７０  誘導装置基部
７１  装置カバー
７２  流路形成部材
７３  払出誘導路
７３ａ  誘導流入口
７３ｂ  第１排出口
７３ｃ  第２排出口
７６  誘導切換弁
８１  誘導切換ソレノイド
８６  案内流下路
８７  突出片
９１  メイン装着部
９３  ワンウェイねじ
９４  貫通孔
９５  支持片
９８  検出装置
９８ａ  発光部
９８ｂ  受光部
１０１  サブ案内ユニット
１０２  サブ装着部
１０６  第１案内路
１０７  第２案内路
１０９  検出収納空間部
１１２  報知装置
１２０  球払出装置
１２１  第１球払出流路
１２２  第２球払出流路
１２４  払出誘導装置
１２６  第１払出誘導路
１２６ａ  第１排出口
１２７  第２払出誘導路
１２７ａ  第２排出口
１２９  第１スプロケット
１３０  第２スプロケット
１３１  第１計数センサ
１３２  第２計数センサ
１３４  流路形成部材
【図１】
0004757275.tif 000002
【図２】
0004757275.tif 000003
【図３】
0004757275.tif 000004
【図４】
0004757275.tif 000005
【図５】
0004757275.tif 000006
【図６】
0004757275.tif 000007
【図７】
0004757275.tif 000008
【図８】
0004757275.tif 000009
【図９】
0004757275.tif 000010
【図１０】
0004757275.tif 000011
【図１１】
0004757275.tif 000012
【図１２】
0004757275.tif 000013
【図１３】
0004757275.tif 000014
【図１４】
0004757275.tif 000015
【図１５】
0004757275.tif 000016
【図１６】
0004757275.tif 000017